(57)【要約】      （修正有）【課題】表示情報の視認性を向上することのできる無線通信装置を提供する。【解決手段】複数の発光部と、複数の発光部のそれぞれを点灯または消灯によって所定の情報を表示する情報表示手段と、を備え、情報表示手段は、複数の発光部のうち少なくとも１つの発光部の明るさを変化させることで、所定の情報を表示する。これにより、発光部を他の発光部の明るさと異なる明るさに変化させることで、明るさを変化させた発光部の他の発光部に対する識別が容易となる。【選択図】図７
2016149627.tif 000002
【特許請求の範囲】
【請求項１】
複数の発光部と、
複数の発光部のそれぞれを点灯または消灯によって所定の情報を表示する情報表示手段と、を備え、
情報表示手段は、複数の発光部のうち少なくとも１つの発光部の明るさを変化させることで、所定の情報を表示する
ことを特徴とする無線通信装置。
【請求項２】
情報表示手段は、発光させる発光部の明るさを時間の経過に従って変化させる
ことを特徴とする請求項１に記載の無線通信装置。
【請求項３】
情報表示手段は、複数の発光部を同時に発光させる際に、一の発光部と一の発光部に隣接する他の発光部を互いに異なるタイミングで明るさを変化させる
ことを特徴とする請求項２に記載の無線通信装置。
【請求項４】
情報表示手段は、複数の発光部を同時に発光させる際に、一の発光部と一の発光部に隣接する他の発光部を互いに異なる明るさで発光させる
ことを特徴とする請求項１に記載の無線通信装置。
【発明の詳細な説明】
【技術分野】
【０００１】
本発明は、例えば、自動販売機の販売情報を遠隔地の管理用のコンピュータにおいて収集する際に用いられる無線通信装置に関するものである。
【背景技術】
【０００２】
従来、この種の無線通信装置としては、複数の発光部と、複数の発光部のそれぞれを点灯または消灯によって所定の情報を表示する情報表示手段と、を備えたものが知られている（例えば、特許文献１参照）。
【先行技術文献】
【特許文献】
【０００３】
【特許文献１】特開２００６−１７４３２１号公報
【発明の概要】
【発明が解決しようとする課題】
【０００４】
前記無線通信装置には、複数の発光部が並べて配置されており、隣り合う発光部が比較的近い位置に配置されている。このため、前記無線通信装置では、隣り合う発光部から発せられる光の影響を受けることで、点灯しているか否かが視認し難く、設置作業や保守管理作業を行う作業者が表示情報を正確に把握することができない場合がある。
【０００５】
本発明の目的とするところは、表示情報の視認性を向上することのできる無線通信装置を提供することにある。
【課題を解決するための手段】
【０００６】
本発明は、前記目的を達成するために、複数の発光部と、複数の発光部のそれぞれを点灯または消灯によって所定の情報を表示する情報表示手段と、を備え、情報表示手段は、複数の発光部のうち少なくとも１つの発光部の明るさを変化させることで、所定の情報を表示する。
【０００７】
これにより、発光部を他の発光部の明るさと異なる明るさに変化させることで、明るさを変化させた発光部の他の発光部に対する識別が容易となる。
【発明の効果】
【０００８】
本発明によれば、明るさを変化させた発光部の他の発光部に対する識別を容易とすることができるので、表示情報の視認性を向上させることが可能となる。
【図面の簡単な説明】
【０００９】
【図１】本発明の一実施形態を示す無線通信装置を正面から見た図である。
【図２】無線通信装置を側面から見た図である。
【図３】図１のＡ−Ａ´断面図である。
【図４】制御系を示すブロック図である。
【図５】起動時の表示ラベルの表示態様を示す図である。
【図６】表示ラベルの表示態様の詳細を示す図である。
【図７】通常時の第１ＬＥＤの明るさの変化を示すグラフである。
【図８】表示ラベルの表示態様の詳細を示す図である。
【図９】第１〜第４ＬＥＤの明るさの変化を示すグラフである。
【発明を実施するための形態】
【００１０】
図１乃至図９は、本発明の一実施形態を示すものである。
【００１１】
本発明の無線通信装置１は、自動販売機の販売管理システム、ガスや水道の使用量管理システム、自動車の運行管理システム等に用いられ、管理対象となる機器に関する情報を、無線パケット通信によって管理用のコンピュータに送信するためのものである。
【００１２】
この無線通信装置１は、図３に示すように、略箱状のケース１００と、ケース１００内に収容された回路基板２００と、を備えている。
【００１３】
ケース１００は、図３に示すように、背面側が開口されたケース本体１１０と、ケース本体１１０の背面側の開口を開閉可能な背面カバー１２０と、を備えている。
【００１４】
ケース本体１１０は、合成樹脂製の部材であり、射出成形によって形成される。ケース本体１１０は、図１に示すように、平面状に形成された正面部１１１と、正面部１１１の上端から背面側に向かって延びる上面部１１２と、正面部１１１の下端から背面側に向かって延びる下面部１１３と、正面部１１１の左右両端から背面側に向かって延びる一対の側面部１１４と、を有している。
【００１５】
ケース本体１１０の正面部１１１の上側の右側面側には、図１に示すように、ケース１００外からケース１００内の機器（例えば、回路基板２００に設けられたディップスイッチ等）の操作を行うための操作孔１１１ａが設けられている。操作孔１１１ａには、ゴム等の弾性部材からなる蓋部材１１１ｂが取り付けられている。操作孔１１１ａは、蓋部材１１１ｂを取り外すことによって開口された状態となる。
【００１６】
ケース本体１１０の正面部１１１の下側には、図１に示すように、表示ラベル１１５を貼り付けるためのラベル凹部１１１ｃが設けられている。ラベル凹部１１１ｃは、表示ラベル１１５とほぼ同一の形状及び大きさであり、全面に渡って均一な深さ寸法を有している。
【００１７】
また、ラベル凹部１１１ｃの下側には、図３に示すように、回路基板２００に設けられた後述するＬＥＤの光を表示ラベル１１５を介してケース本体１１０の外側に通過させるための第１〜第６通光孔１１１ｆ１，１１１ｆ２，１１１ｆ３，１１１ｆ４，１１１ｆ５，１１１ｆ６（以降、１１１ｆ１〜６と記載する）が図３の右側から左側に向かって順に、互いに幅方向に間隔をおいて設けられている。第１〜第６通光孔１１１ｆ１〜６は、略矩形状に形成されている。
【００１８】
ケース本体１１０の内面の第１〜第６通光孔１１１ｆ１〜６の縁部には、図３に示すように、ＬＥＤの光を反射させて外部に案内するための第１〜第６導光部１１１ｇ１，１１１ｇ２，１１１ｇ３，１１１ｇ４，１１１ｇ５，１１１ｇ６（以降、１１１ｇ１〜６と記載する）がケース本体１１０の内側に張り出すように設けられている。第１〜第６導光部１１１ｇ１〜６は、それぞれ第１〜第６通光孔１１１ｆ１〜６を囲むように角筒状に形成されている。
【００１９】
ラベル凹部１１１ｃに張り付けられる表示ラベル１１５は、光を透過可能な合成樹脂製の部材からなり、シルクスクリーン印刷によって製品名や、無線通信装置１の取り扱いに関する注意書き、動作に関する情報が印刷されている。また、表示ラベル１１５には、ラベル凹部１１１ｃに張り付けられた状態において、第１〜第６通光孔１１１ｆ１〜６に対向する部分に、ＬＥＤの光をケース本体１１０の外側から視認可能とする第１〜第６透光部１１５ａ，１１５ｂ，１１５ｃ，１１５ｄ，１１５ｅ，１１５ｆ（以降、１１５ａ〜ｆと記載する）が設けられている。
【００２０】
図１に示すように、表示ラベル１１５の第１透光部１１５ａの近傍には、「電源」の文字が印刷されている。表示ラベル１１５の第２透光部１１５ｂの近傍には、「ＬＡＮ」の文字が印刷されている。表示ラベル１１５の第３透光部１１５ｃの近傍には、「ＲＳ２３２Ｃ」の文字が印刷されている。表示ラベル１１５の第４透光部１１５ｄの近傍には、「ＷＡＮ」の文字が印刷されている。表示ラベル１１５の第５透光部１１５ｅの近傍には、「１」の文字が印刷されている。表示ラベル１１５の第６透光部１１５ｆの近傍には、「２」の文字が印刷されている。表示ラベル１１５の第５透光部１１５ｅと第６透光部１１５ｆとの間には、「レベル」の文字が印刷されている。
【００２１】
ケース本体１１０の上面部１１２には、図２に示すように、電源端子１１２ａと、管理対象となる機器等の上位装置３００と接続するためのＬＡＮインターフェース１１２ｂ及びシリアルインターフェース１１２ｃと、アンテナ線を接続するためのアンテナ端子１１２ｄと、が設けられている。
【００２２】
ケース本体１１０の一対の側面部１１４には、図１に示すように、背面側の端部からそれぞれ幅方向外側に延びるように設けられ、管理対象となる機器等に無線通信装置１を取り付けるためのフランジ１１４ａが設けられている。フランジ１１４ａには、ねじやボルト等を挿通可能な挿通孔１１４ｂが設けられている。
【００２３】
背面カバー１２０は、例えば、溶融亜鉛メッキ鋼板等の金属板からなる。背面カバー１２０は、図１及び図３に示すように、幅方向一端側の端部にケース本体１１０に係合可能な係合部１２１が設けられ、幅方向他端側にケース本体１１０と共にねじ止めされる締結部１２２が設けられている。
【００２４】
回路基板２００は、銅箔等の導電体によって回路が形成された板状部材であり、図３に示すように、ケース本体１１０の内部に設けられた複数の位置決め用の突起１１１ｈに当接させた状態でねじ等によって固定されている。
【００２５】
回路基板２００の正面側の面には、例えば、集積回路、コイル及び電解コンデンサ等の電子部品が取り付けられている。また、回路基板２００の正面側の面における第１〜第６通光孔１１１ｆ１〜６に対向する部分には、それぞれ発光部としての第１〜第６ＬＥＤ（発光ダイオード）２０１，２０２，２０３，２０４，２０５，２０６（以降、２０１〜２０６と記載する）が取り付けられている。
【００２６】
回路基板２００の背面側の面には、電源端子１１２ａ、ＬＡＮインターフェース１１２ｂ及びシリアルインターフェース１１２ｃ及び無線パケット通信網との接続に用いられるデータ通信モジュール２１０が取り付けられている。
【００２７】
また、回路基板２００の正面側の面には、ＣＰＵ、ＲＯＭ、ＲＡＭ等からなるコントローラ２２０が設けられている。コントローラ２２０は、入力側に接続された装置から入力信号を受信すると、ＣＰＵが、入力信号に基づいてＲＯＭに記憶されたプログラムを読み出すとともに、入力信号によって検出された状態をＲＡＭに記憶したり、出力側に接続された装置に出力信号を送信したりする。
【００２８】
コントローラ２２０には、図４に示すように、ＬＡＮインターフェース１１２ｂ及びシリアルインターフェース１１２ｃを介して上位装置３００が接続されるとともに、第１〜第６ＬＥＤ２０１〜２０６及びデータ通信モジュール２１０が接続されている。
【００２９】
ここで、第１〜第６ＬＥＤ２０１〜２０６は、例えばＰＷＭ（Ｐｕｌｓｅ  Ｗｉｄｔｈ  Ｍｏｄｕｌａｔｉｏｎ）制御によって明るさを調整可能である。
【００３０】
第１ＬＥＤ２０１は、主に電源の状態に関する情報を表示するために用いられる。第２ＬＥＤ２０２は、主にＬＡＮインターフェース１１２ｂを介して接続された上位装置３００との通信状態に関する情報を表示するために用いられる。第３ＬＥＤ２０３は、主にシリアルインターフェース１１２ｃを介して接続された上位装置３００との通信状態に関する情報を表示するために用いられる。第４ＬＥＤ２０４は、主にデータ通信モジュール２１０による通信に関する情報を表示するために用いられる。第５及び第６ＬＥＤ２０５，２０６は、主に電波の受信レベルに関する情報を表示するために用いられる。
【００３１】
以上のように構成された無線通信装置１において、電源が入っていない状態から起動したときの第１〜第６ＬＥＤ２０１〜２０６による表示ラベル１１５の表示態様を説明する。
【００３２】
電源が入っていない状態から起動すると、コントローラ２２０は、第１〜第６ＬＥＤ２０１〜２０６を最大の明るさから最大の明るさの９０パーセントの明るさの間で点灯させる。これにより、表示ラベル１１５では、図５に示すように、第１〜第６透光部１１５ａ〜ｆの全てが最大の明るさに近い明るさで点灯した状態が表示される。
ここで、第１〜第６ＬＥＤ２０１〜２０６が、それぞれ同一の明るさで点灯すると、ケース本体１１０内において第１〜第６ＬＥＤ２０１〜２０６の光が隣り合う第１〜第６通光孔１１１ｆ１〜６に侵入し、第１〜第６透光部１１５ａ〜ｆの点灯状態を作業者が認識し難くなる。このため、コントローラ２２０は、図６に示すように、第１〜第６ＬＥＤ２０１〜２０６のうち、第２、第４、第６ＬＥＤ１１５ｂ，１１５ｄ，１１５ｆに隣り合う第１、第３、第５ＬＥＤ１１５ａ，１１５ｃ，１１５ｅの明るさを、第２、第４、第６ＬＥＤ１１５ｂ，１１５ｄ，１１５ｆの明るさよりも暗くすることで、第１〜第６透光部１１５ａ〜ｆの点灯状態を作業者が認識し易くする。
【００３３】
次に、コントローラ２２０は、ＣＰＵの初期化を開始し、その際、第１〜第６ＬＥＤ２０１〜２０６を最大の明るさの８０〜７０パーセントの明るさで点灯させる。これにより、表示ラベル１１５では、図５に示すように、第１〜第６透光部１１５ａ〜ｆの全てが起動時よりも暗く点灯した状態が表示される。無線通信装置１の設置や無線通信装置１の保守管理を行う作業者は、第１〜第６透光部１１５ａ〜ｆの明るさの変化によって、起動時の動作が継続中であることを認識することが可能である。
ここで、第１〜第６ＬＥＤ２０１〜２０６が、それぞれ同一の明るさで点灯すると、ケース本体１１０内において第１〜第６ＬＥＤ２０１〜２０６の光が隣り合う第１〜第６通光孔１１１ｆ１〜６に侵入し、第１〜第６透光部１１５ａ〜ｆの点灯状態を作業者が認識し難くなる。このため、コントローラ２２０は、第１〜第６ＬＥＤ２０１〜２０６のうち、第２、第４、第６ＬＥＤ１１５ｂ，１１５ｄ，１１５ｆに隣り合う第１、第３、第５ＬＥＤ１１５ａ，１１５ｃ，１１５ｅの明るさを、第２、第４、第６ＬＥＤ１１５ｂ，１１５ｄ，１１５ｆの明るさよりも暗くすることで、第１〜第６透光部１１５ａ〜ｆの点灯状態を作業者が認識し易くする。
【００３４】
ＣＰＵの初期化が完了すると、コントローラ２２０は、デバイス及びオペレーションシステムの初期化を実行し、データ通信モジュール２１０の検出を開始する。その際、コントローラ２２０は、第１〜第６ＬＥＤ２０１〜２０６をそれぞれ点灯及び消灯の切り換えを、第１ＬＥＤ２０１から第６ＬＥＤ２０６に向かって順に実行後、第６ＬＥＤ２０６から第１ＬＥＤ２０１に向かって順に実行する動作を繰り返す。これにより、表示ラベル１１５の第１〜第６透光部１１５ａ〜ｆでは、図５に示すように、１つの光が左右に往復移動するように表示される。このとき、第１〜第６ＬＥＤ２０１〜２０６は、最大の明るさの８０パーセントの明るさで点灯する。
【００３５】
データ通信モジュール２１０の検出が完了すると、表示ラベル１１５は、通常時の表示態様となる。
【００３６】
次に、通常時の表示ラベル１１５の表示態様を説明する。
【００３７】
第１透光部１１５ａにおいて、コントローラ２２０は、電源が入っている状態として、第１ＬＥＤ２０１を点灯する。その際、コントローラ２２０は、第１ＬＥＤ２０１を、例えば、最大の明るさの８０〜３０パーセントの間で、暗い状態から徐々に明るくするとともに、明るい状態から徐々に暗くするようにする。これにより、表示ラベル１１５の第１透光部１１５ａでは、図７に示すように、点灯した状態で明るさが徐々に変化するように表示される。また、断線や電圧の異常等の故障時には、第１ＬＥＤ２０１を消灯または最大の明るさで点灯させることにより、作業者は電源が正常な状態であるか否かを識別することが可能となる。
【００３８】
第２透光部１１５ｂにおいて、コントローラ２２０は、ＬＡＮインターフェース１１２ｂに接続された上位装置３００との通信が可能な待機状態として、第２ＬＥＤ２０２を最大の明るさの８０〜７０パーセントの明るさで点灯する。また、コントローラ２２０は、ＬＡＮインターフェース１１２ｂに接続された上位装置３００とデータの送受信を行っている通信状態として、第２ＬＥＤ２０２を最大の明るさの８０〜３０パーセントの間で、暗い状態から明るくするとともに、明るい状態から暗くするようにする。これにより、作業者は、表示ラベル１１５の第２透光部１１５ｂにおいて、ＬＡＮインターフェース１１２ｂに接続された上位装置３００との間で接続がなされているか否かの識別と通信状態であるか否かの識別とが可能となる。
【００３９】
第３透光部１１５ｃにおいて、コントローラ２２０は、シリアルインターフェース１１２ｃに接続された上位装置３００との通信が可能な待機状態として、第３ＬＥＤ２０３を最大の明るさの８０〜７０パーセントの明るさで点灯する。また、コントローラ２２０は、シリアルインターフェース１１２ｃに接続された上位装置３００とデータの送受信を行っている通信状態として、第３ＬＥＤ２０３を最大の明るさの８０〜３０パーセントの間で、暗い状態から明るくするとともに、明るい状態から暗くするようにする。これにより、作業者は、表示ラベル１１５の第３透光部１１５ｃにおいて、シリアルインターフェース１１２ｃに接続された上位装置３００との間で接続がなされているか否かの識別と通信状態であるか否かの識別とが可能となる。
【００４０】
第４透光部１１５ｄにおいて、コントローラ２２０は、データ通信モジュール２１０が無線通信網に対して通信可能な待機状態として、第４ＬＥＤ２０４を最大の明るさの８０〜７０パーセントの明るさで点灯する。また、コントローラ２２０は、データ通信モジュール２１０がデータの送受信を行っている通信状態として、第４ＬＥＤ２０４を最大の明るさの８０〜３０パーセントの間で、暗い状態から明るくするとともに、明るい状態から暗くするようにする。これにより、作業者は、表示ラベル１１５の第３透光部１１５ｃにおいて、シリアルインターフェース１１２ｃに接続された上位装置３００との間で接続されているか否かの識別と通信状態であるか否かの識別とが可能となる。
【００４１】
ここで、第２〜第４ＬＥＤ２０２〜２０４が、同時にそれぞれ同一の明るさで点灯すると、ケース本体１１０内において第２〜第４ＬＥＤ２０２〜２０４の光が隣り合う第２〜第４通光孔１１１ｆ２〜４に侵入し、第２〜第４透光部１１５ｂ〜ｄの点灯状態を作業者が認識し難くなる。このため、コントローラ２２０は、図８に示すように、第２〜第４ＬＥＤ２０２〜２０４を同時に点灯させる場合には、第２及び第４ＬＥＤ１１５ｂ，１１５ｄに隣り合う第３ＬＥＤ１１５ｃの明るさを、第２及び第４ＬＥＤ１１５ｂ，１１５ｄの明るさよりも暗くして、第２〜第４透光部１１５ｂ〜ｄの点灯状態を作業者が認識し易くする。
【００４２】
また、第１〜第４ＬＥＤ２０１〜２０４が、同時にそれぞれ同一の周期で明るさが変化すると、第１〜第４透光部１１５ａ〜ｄの点灯状態を作業者が認識し難くなる。このため、コントローラ２２０は、第１〜第４ＬＥＤ２０１〜２０４を同時に明るさを変化させる場合には、図９に示すように、隣り合う第１〜第４ＬＥＤ２０１〜２０４の明るさを変化させる周期を互いに異なる周期とするようにして、第１〜第４透光部１１５ａ〜ｄの点灯状態を作業者が認識し易くする。
【００４３】
第５及び第６透光部１１５ｅ，１１５ｆにおいて、コントローラ２２０は、電波の受信レベルが低い状態（例えば、５段階中の３段階以下）として、第５及び第６ＬＥＤ２０５，２０６を消灯した状態とする。また、コントローラ２２０は、電波の受信レベルが高い状態（例えば、５段階中の５段階）として、第５及び第６ＬＥＤ２０５，２０６を最大の明るさの８０パーセントの明るさで点灯した状態とする。さらに、コントローラ２２０は、電波の受信レベルが低い状態と高い状態の間の状態（例えば、５段階中の４段階）として、第５ＬＥＤ２０５を最大の明るさの８０パーセントの明るさで点灯し、第６ＬＥＤ２０６を消灯した状態とする。コントローラ２２０は、所定時間毎に電波の受信レベルを検出し、第５及び第６ＬＥＤ２０５，２０６の点灯又は消灯を切り換える。これにより、作業者は、現在の電波の受信レベルを認識することが可能となる。
【００４４】
ここで、第５及び第６ＬＥＤ２０５，２０６が、同時にそれぞれ同一の明るさで点灯すると、ケース本体１１０内において第５及び第６ＬＥＤ２０５，２０６の光が隣り合う第５及び第６通光孔１１１ｆ５，１１１ｆ６に侵入し、第５及び第６透光部１１５ｅ，１１５ｆの点灯状態を作業者が認識し難くなる。このため、第５及び第６ＬＥＤ２０５，２０６を同時に点灯させる場合には、第６ＬＥＤ１１５ｆに隣り合う第５ＬＥＤ１１５ｅの明るさを、第６ＬＥＤ１１５ｆの明るさよりも暗くして、第５及び第６透光部１１５ｅ，１１５ｆの点灯状態を作業者が認識し易くする。
【００４５】
このように、本実施形態の無線通信装置によれば、第１〜第６ＬＥＤ２０１〜２０６のうち少なくとも１つの明るさを変化させることで、所定の情報を表示する。
【００４６】
これにより、明るさを変化させた第１〜第６ＬＥＤ２０１〜２０６の他の第１〜第６ＬＥＤ２０１〜２０６に対する識別を容易とすることができるので、表示情報の視認性を向上させることが可能となる。
【００４７】
また、コントローラ２２０は、発光させる第１〜第６ＬＥＤ２０１〜２０６の明るさを時間の経過に従って変化させる。
【００４８】
これにより、他の第１〜第６ＬＥＤ２０１〜２０６に対して対象となる第１〜第６ＬＥＤ２０１〜２０６を目立たせることが可能となるので、対象となる第１〜第６ＬＥＤ２０１〜２０６の状態を容易に把握することができる。
【００４９】
また、コントローラ２２０は、複数の第１〜第６ＬＥＤ２０１〜２０６を同時に発光させる際に、一の第１〜第６ＬＥＤ２０１〜２０６と一の第１〜第６ＬＥＤ２０１〜２０６に隣接する他の第１〜第６ＬＥＤ２０１〜２０６を互いに異なるタイミングで明るさを変化させる。
【００５０】
これにより、発光させる第１〜第６ＬＥＤ２０１〜２０６のそれぞれを目立たせることが可能となるので、発光させる第１〜第６ＬＥＤ２０１〜２０６のそれぞれ状態を容易に把握することができる。
【００５１】
また、コントローラ２２０は、複数の第１〜第６ＬＥＤ２０１〜２０６を同時に発光させる際に、一の第１〜第６ＬＥＤ２０１〜２０６と一の第１〜第６ＬＥＤ２０１〜２０６に隣接する他の第１〜第６ＬＥＤ２０１〜２０６を互いに異なる明るさで発光させる。
【００５２】
これにより、隣り合う第１〜第６ＬＥＤ２０１〜２０６の光の影響を最小限に抑えることができるので、発光させる第１〜第６ＬＥＤ２０１〜２０６のそれぞれの状態を容易に把握することができる。
【００５３】
尚、前記実施形態では、６個のＬＥＤを有する無線通信装置について示したが、これに限られるものではなく、２個以上のＬＥＤを有する無線通信装置であれば、本発明を適用することが可能である。
【符号の説明】
【００５４】
１…無線通信装置、１１５…表示ラベル、１１５ａ〜ｆ…第１〜第６透光部、２０１〜２０６…第１〜第６ＬＥＤ、２１０…データ通信モジュール、２２０…コントローラ。
【図１】
2016149627.tif 000003
【図２】
2016149627.tif 000004
【図３】
2016149627.tif 000005
【図４】
2016149627.tif 000006
【図５】
2016149627.tif 000007
【図６】
2016149627.tif 000008
【図７】
2016149627.tif 000009
【図８】
2016149627.tif 000010
【図９】
2016149627.tif 000011